(57)【要約】【課題】照明機能を備えた格納式進入防止装置などの格納式照明装置において、給電ケーブルのねじれを低減する。【解決手段】周面の少なくとも一部に透光性の窓部を備え、内部に光源３１を収容した柱体２０と、該柱体２０をその軸方向に摺動可能に内挿する少なくとも一端が開放された筒状の格納体１０と、前記光源３１に接続され前記柱体２０及び格納体１０の内部を通って所定の電源に接続される給電ケーブル３２とを有し、前記柱体２０の一部を前記格納体１０から突出させた状態で該柱体２０をその軸周りに回転させることにより、柱体２０と格納体１０を互いに係合させて格納体１０に対する柱体２０の没入を抑止することのできる格納式照明装置において、前記光源３１を前記柱体２０の内部に該柱体２０と同軸状且つ該柱体２０に対して相対回転可能なように支持する光源支持手段３３、３４、３５を設ける。【選択図】図１
2012089458.tif 000002
【特許請求の範囲】
【請求項１】
少なくとも一端が開放された筒状の格納体と、前記格納体内にその軸方向へ摺動自在に格納された柱体と、
を有し、前記柱体を前記格納体から突出させた状態で該柱体をその軸周りに回転させることにより、柱体と格納体を互いに係合させて格納体に対する柱体の没入を抑止することのできる格納式照明装置であって、
前記柱体に収容された光源と、
該柱体の周面の少なくとも一部に設けられた透光部と、
前記光源に接続され前記柱体及び格納体の内部を通って所定の電源に接続される給電ケーブルと、
前記光源を前記柱体の内部に該柱体と同軸状且つ該柱体に対して相対回転可能なように支持する光源支持手段と、
を有することを特徴とする格納式照明装置。
【請求項２】
前記格納体がその軸心を鉛直方向に向けて設置場所に固定され、前記柱体が該格納体の上部から出没可能に構成されており、前記光源が筒型形状を有しているものであって、
前記光源支持手段が、
a)前記光源が通過可能な貫通孔を有し、前記柱体の内部に水平に固定される柱体側支持部材と、
b)前記光源の上部に固定され、前記貫通孔を通過不能であって該貫通孔の周縁部と当接した状態で前記柱体側支持部材に対して摺動回転可能な光源側支持部材と、
を有し、前記光源を前記柱体側支持部材の貫通孔に上方から差し入れて前記光源側支持部材を前記柱体側支持部材の貫通孔の周縁部と当接させることにより、前記光源が前記柱体側支持部材の下方に吊り下げ支持されることを特徴とする請求項１に記載の格納式照明装置。
【発明の詳細な説明】
【技術分野】
【０００１】
本発明は、格納式の照明装置に関するものであり、例えば、照明機能を備えた格納式進入防止装置として好適に用いることのできる照明装置に関する。
【背景技術】
【０００２】
従来、商業施設やマンションの敷地等への車輌の進入を防止するための進入防止装置として、地中に埋設された格納体と地表に出没自在な柱体とを備え、不使用時には柱体を下降させて格納体に格納できる構成のものが広く知られている。しかしながら、一般に、こうした格納式の進入防止装置は、柱体が円柱状であって重厚感に乏しく、美観的に優れたものとはいえなかった。
【０００３】
そこで、本発明者は、重厚感が発揮される非円形の柱体を備えた格納式進入防止装置を考案している（特許文献１）。これによれば、柱体を例えば四角形や六角形等の多角形とすることができるため、円柱状のものに比べて重厚感や安定感が増し、美観を向上させることができる。
【０００４】
以上のような格納式進入防止装置は、円柱型、非円柱型のいずれにおいても、格納体に格納された柱体を所定の高さまで引き上げた後、該柱体を鉛直軸周りに回転させることにより柱体と格納体を互いに係止できるようになっており、これにより、柱体を地上に突出させた状態を維持することができる。
【先行技術文献】
【特許文献】
【０００５】
【特許文献１】特開2007-039878号公報
【発明の概要】
【発明が解決しようとする課題】
【０００６】
ところで、近年、デザイン性や夜間の視認性を向上するため、進入防止装置に照明機能を持たせたいという要望がある。そこで、例えば、上記のような格納式進入防止装置の柱体内部に光源を固定し、該柱体の周面に形成した透光性の窓部から柱体外部に光を照射するような構成が考えられる。この場合、光源に電力を供給するための給電ケーブルは、光源から下方に延びて柱体及び格納体の内部を通って格納体の外部に延出し、地中を通って所定の電源装置に接続される。
【０００７】
しかしながら、上記のように柱体内に光源を固定した場合、柱体を回転させて格納体と係止させる際や、該柱体を回転させて格納体との係止を解除する際に、それに伴って光源も回転することとなる。そのため、該光源に接続された給電ケーブルが捻れてしまい、場合によっては、柱体の回転を繰り返す内にケーブルやコネクタ等に不具合を生じる可能性が考えられる。
【０００８】
本発明は、このような点に鑑みて成されたものであり、その目的とするところは、照明機能を備えた格納式進入防止装置などの格納式照明装置において、給電ケーブルのねじれを低減できるようにすることにある。
【課題を解決するための手段】
【０００９】
上記課題を解決するために成された本発明に係る格納式照明装置は、
少なくとも一端が開放された筒状の格納体と、前記格納体内にその軸方向へ摺動自在に格納された柱体と、
を有し、前記柱体を前記格納体から突出させた状態で該柱体をその軸周りに回転させることにより、柱体と格納体を互いに係合させて格納体に対する柱体の没入を抑止することのできる格納式照明装置であって、
前記柱体に収容された光源と、
該柱体の周面の少なくとも一部に設けられた透光部と、
前記光源に接続され前記柱体及び格納体の内部を通って所定の電源に接続される給電ケーブルと、
前記光源を前記柱体の内部に該柱体と同軸状且つ該柱体に対して相対回転可能なように支持する光源支持手段と、
を有することを特徴としている。
【００１０】
このような構成によれば、柱体内部に設けられた光源が該柱体に対して相対回転可能となるため、柱体を回転させた場合でも、光源に接続された給電ケーブルの剛性や自重によって光源の回転が抑制される。従って、これにより柱体の回転に伴う給電ケーブルのねじれを低減することができる。
【００１１】
前記本発明に係る格納式照明装置は、前記格納体がその軸心を鉛直方向に向けて設置場所に固定され、前記柱体が該格納体の上部から出没可能に構成されており、前記光源が筒型形状を有しているものであって、
前記光源支持手段が、
a)前記光源が通過可能な貫通孔を有し、前記柱体の内部に水平に固定される柱体側支持部材と、
b)前記光源の上部に固定され、前記貫通孔を通過不能であって該貫通孔の周縁部と当接した状態で前記柱体側支持部材に対して摺動回転可能な光源側支持部材と、
を有し、前記光源を前記柱体側支持部材の貫通孔に上方から差し入れて前記光源側支持部材を前記柱体側支持部材の貫通孔の周縁部と当接させることにより、前記光源が前記柱体側支持部材の下方に吊り下げ支持されるものとすることが望ましい。
【発明の効果】
【００１２】
以上で説明したとおり、上記本発明に係る格納式照明装置によれば、光源を柱体に対して相対回転可能に構成したことにより、柱体の回転に伴う光源の回転を抑制することができ、その結果、給電ケーブルのねじれを低減することができる。
【図面の簡単な説明】
【００１３】
【図１】本発明の一実施例に係る格納式進入防止装置の動作を説明する断面図であり、（ａ）は柱体が格納体に格納された状態を、（ｂ）は柱本体を格納体から完全に突出させた状態を、（ｃ）は柱体を回転させた状態を、（ｄ）は柱本体の下部を格納体に没入させた状態を示している。
【図２】同実施例における格納体の斜視図。
【図３】前記格納体の断面図であり、（ａ）は正断面図、（ｂ）は側断面図である。
【図４】同実施例における柱体を示す図であり、（ａ）は外観斜視図、（ｂ）は内部構造を示す一部破断斜視図である。
【図５】前記柱体の断面図であり、（ａ）は正断面図、（ｂ）は側断面図である。
【図６】前記柱体への光源の取り付け方法を説明する分解斜視図。
【図７】同実施例における光源支持手段の構成を示す模式図。
【図８】光源支持手段の別の構成例を示す模式図。
【図９】光源支持手段の更に別の構成例を示す図であって、（ａ）は分解斜視図、（ｂ）は断面図、（ｃ）はストッパの他の構成例を示す断面図である。
【発明を実施するための形態】
【００１４】
以下、本発明を実施するための形態について、実施例を用いて説明する。本実施例は、本発明に係る格納式照明装置を、照明機能を備えた格納式進入防止装置として具現化したものである。
【００１５】
図１は、本実施例に係る格納式進入防止装置の断面図である。本実施例に係る格納式進入防止装置は、地中に埋設される格納体１０と、格納体１０内に格納され、地表に出没可能な柱体２０とを備えている。
【００１６】
格納体１０は、図２、３に示すように、上面が開口した箱形の形状を有しており、その平面視内周形状は正四角形となっている。格納体１０の上端縁には、外周方向へ突出したフランジ状の外鍔１１が設けられており、該外鍔１１を地表面に載せるようにして該格納体１０が地中に埋設される。また、格納体１０の底面板１２の中央からは鉛直方向に延びる支柱１３が立設されており、該支柱１３の上端には角を丸めた矩形（正方形を除く長方形）状の平面視形状を有する受け板１４が設けられている。なお、支柱１３は中空となっており、受け板１４の中央部には、後述する光源３１を挿通するための光源挿通孔１４ａが設けられている。また、格納体１０の底面板１２の中央には、後述する給電ケーブル３２を挿通するためのケーブル挿通孔１２ａが設けられている。
【００１７】
柱体２０は、図４〜６に示すように、角柱形状から成る柱本体２１と、円柱形状から成る支持部２２とを有しており、両者は同軸に配置されている。前記柱本体２１の平面視外周形状は、前記格納体１０の内周形状と相似な正方形であり、該柱本体２１は、格納体１０内部で回転不能且つ軸線方向に摺動自在となっている。また、前記支持部２２の平面視外周形状は円形であり、その直径は前記格納体１０の平面視内周形状の正方形の一辺よりも小さくなっている。このため、前記支持部２２は前記格納体１０に対して軸線方向に摺動自在であり、且つ前記柱本体２１を格納体１０から突出させた状態で格納体１０内部で回転させることができる。
【００１８】
前記柱本体２１及び支持部２２は、いずれも中空であり、柱本体２１と支持部２２の間には隔壁２５が設けられている。隔壁２５には、受け板１４及び支柱１３を通過させるための長孔２５ａが設けられており、該長孔２５ａによって柱本体２１内の中空部２３と支持部２２内の中空部２４とが連通している。該長孔２５ａの長手方向の寸法は、前記受け板１４の長手方向の寸法よりも大きくなっており、該長孔２５ａの短手方向の寸法は、前記受け板１４の短手方向の寸法よりも大きく且つ長手方向の寸法よりも小さくなっている。
【００１９】
支持部２２の下端面に設けられた底面板２６には、支柱１３を挿通するための支柱挿通孔２６ａが設けられている。また、柱本体２１の上部開口には開閉可能な蓋板２７が取り付けられており、該蓋板２７には該柱体２０を格納体１０から引き出す際に使用者が指を掛けるための指掛け部（図示略）が設けられている。
【００２０】
柱体２０の柱本体２１内部には後述する光源３１が配置されており、柱本体２１の側面板２１ａ〜ｄには、該光源３１からの光を通過させるための透光部２８が形成されている。該透光部２８は、例えば、側面板２１ａ〜ｄの一部を切り抜き、そこに透明又は半透明のプラスチック板等を嵌め込むことによって形成することができる。なお、蓋板２７にもこのような透光部を設けるようにしてもよい。また、側面板２１ａ〜ｄ及び/又は蓋板２７自体を透光性の素材で形成するようにしてもよい。
【００２１】
以下、本実施例の進入防止装置における照明機構について説明する。照明機構は、光源３１と、該光源３１を柱本体２１内に吊り下げ支持するための光源支持機構と、前記光源３１に電力を供給するための給電ケーブル３２とを備えている。
【００２２】
光源３１は、鉛直方向に延びる筒状（円筒状又は断面多角形の筒状）の支持体の外周に該支持体の軸線方向及び周方向に沿ってＬＥＤ素子などの発光体を多数配列させて成るものである。なお、光源３１は、支柱１３の受け板１４に設けられた光源挿通孔１４ａを通過させることができるものであればよく、例えば、透光性素材で形成された筒状の支持体の内部に、多数の発光体を該支持体の少なくとも軸線方向に沿って多数配列させたものとしてもよい。また、光源３１として直管型の蛍光灯を用いるようにしてもよい。
【００２３】
光源支持機構は、光源３１に固定される支持リング３３（光源側支持部材に相当）と、柱本体２１に固定される光源支持板３４、及び該光源支持板３４に固定されたリング受け部３５（柱体側支持部材に相当）で構成される（図６、７）。支持リング３３は、前記光源３１の上端部に光源３１と同軸に固定される円環状の部材であり、その外径は光源３１の外径より大きくなっている。光源支持板３４は、柱本体２１内部に水平に取り付けられる板状の部材であり、リング受け部３５は、前記支持リング３３を回転自在に支持する円形のレール状部材である。光源支持板３４は、柱本体２１内部のいかなる高さ位置に設けてもよいが、図６のように、柱本体２１の上端付近に取り付けることが望ましい。光源支持板３４の中央部には、光源３１を挿通するための開口部３４ａが設けられ、該開口部３４ａの周囲に光源３１の外径よりもやや大きな内径を有するリング受け部３５が柱本体２１と同軸に取り付けられている。リング受け部３５の上面は支持リング３３下部の形状に沿った凹面形状を有しており、該リング受け部３５上面が支持リング３３の下面と係合することにより、該支持リング３３をその周方向に沿って摺動可能に保持することができる。
【００２４】
光源３１を柱体２０に取り付ける際には、光源支持板３４を柱本体２１に取り付け、蓋板２７は取り外した状態で、光源３１を光源支持板３４の開口部３４ａ（即ち、リング受け部３５の中央部）に上方から差し入れて、支持リング３３をリング受け部３５に載置する（図６）。これにより、前記光源３１が光源支持板３４の下方に、該光源支持板３４に対して相対回転可能に支持されることとなる。本実施例に係る格納式進入防止装置では、光源支持機構をこのような構成としたことにより、光源３１を柱体２０の上部から容易に着脱することが可能となり、光源３１の交換や点検といったメンテナンス作業を容易に行うことができる。また、光源３１からの光が前記開口部３４ａを通過することができるため、蓋板２７に透光部を設ければ、上方への光照射を行うこともできる。
【００２５】
なお、光源支持機構の構成は上記に限定されるものではなく、例えば、図８に示すように、支持リング３３を光源支持板３４側に、レール状のリング受け部３５を光源３１側に設けた構成としてもよい。この場合、支持リング３３が本発明における柱体側支持部材に相当し、リング受け部３５が本発明における光源側支持部材に相当する。
【００２６】
また更に、光源支持機構は、図９（ａ）、（ｂ）に示すような構成とすることもできる。この例では、光源支持板３４の中央部には、リング受け部３５や支持リング３３は取り付けられず、開口部３４ａのみが設けられており、光源３１の上部には、該開口部３４ａを通過不能な寸法を有する板状のストッパ３７が設けられている。ここで、ストッパ３７の下面を開口部３４ａの周縁に当接させた状態でストッパ３７が光源支持板３４に対して相対回転できるように、ストッパ３７及び光源支持板３４は摩擦係数の小さい材質で形成される。この構成では、光源支持板３４が本発明における柱体側支持部材に相当し、ストッパ３７が本発明における光源側支持部材に相当する。また、ストッパ３７の少なくとも一部を曲面とし、該曲面にて開口部３４ａの周縁と当接するような構成としてもよい。これにより、ストッパ３７と光源支持板３４の接触面積を小さくして両者の間の摩擦を低減することができる。このような構成の一例を図９（ｃ）に示す。同図ではストッパ３７の表面全体を球面としているが、例えば、ストッパ３７の下部のみを球面としてもよい。
【００２７】
給電ケーブル３２は、進入防止装置の外部に設けられた外部電源（図示略）から前記光源３１へと電力を供給するためのものである。該給電ケーブル３２は、光源３１の下部に取り付けられたコネクタ３６を介して光源３１の各ＬＥＤ素子と電気的に接続され、柱体２０内部を下方に向かって延伸する。そして、支柱１３の受け板１４に設けられた光源挿通孔１４ａから該支柱１３の内部に入り、格納体１０の底面板１２に設けられたケーブル挿通孔１２ａから外部へ導出される。格納体１０の外部に導出された給電ケーブル３２は地中を通過し、所定の外部電源に接続される。なお、コネクタ３６は、光源３１の交換を容易に行えるように光源３１に対して着脱自在な構成としてもよいが、光源３１とコネクタ３６の接続部から結露等による水分が進入するのを防止するため、該接続部をシール材などで封止することが望ましい。
【００２８】
以上の構成から成る本実施例の格納式進入防止装置の使用方法について以下に説明する。なお、以下では、光源３１の点灯・消灯に関わらず、図１（ａ）のように柱体２０が格納体１０に格納された状態を不使用状態と呼び、図１（ｄ）のように柱本体２１を格納体１０から突出させて柱体２０を支柱１３により支持した状態を使用状態と呼ぶものとする。
【００２９】
本実施例の格納式進入防止装置を不使用状態から使用状態にする際には、まず、地中に埋没した柱体２０を上方に引き上げて柱本体２１を格納体１０から完全に突出させる（図１（ｂ））。このとき、支柱１３の受け板１４の長手方向と隔壁２５の長孔２５ａの長手方向とが一致しており受け板１４が長孔２５ａを通過することができるため、前記受け板１４は、柱体２０の支持部２２内の中空部２４に位置した状態となる。なお、図１（ｂ）の状態から柱体２０を更に引き上げた場合、柱体２０の底面板２６の支柱挿通孔２６ａの周縁に受け板１４の下面が当接するため、柱体２０が格納体１０から完全に抜け出てしまうことはない。
【００３０】
続いて、上記の状態から柱体２０を９０°回転させる（図１（ｃ））。これにより、支柱１３の受け板１４の長手方向と隔壁２５の長孔２５ａの長手方向とが直交した状態となる（即ち、平面視で受け板１４の一部と隔壁２５の一部とが重なった状態となる）。なお、正方形は９０°の回転対称であるため、柱体２０を図１（ｂ）の状態から９０°回転、１８０°回転、又は２７０°回転させることにより他の回転対象位置に位置させることができる。ここで、上記の９０°回転のほか、２７０°回転させた場合にも受け板１４の一部と隔壁２５の一部とが重なった状態となるが、１８０°回転させた場合には両者は重ならず受け板１４は長孔２５ａを通過することとなる。
【００３１】
次に、柱体２０を僅かに下降させて柱本体２１の下部を格納体に没入させる（図１（ｄ））。これにより、支柱１３の受け板１４の上面に隔壁２５の下面が当接し、柱体２０が支柱１３によって下方から支持される。また、柱本体２１の外周面が格納体１０の内周面に外接し、柱本体２１のがたつきが防止されると共に、柱体２０の回転が規制されて前記の支持状態が維持される。
【００３２】
一方、本実施例の格納式進入防止装置を使用状態から不使用状態にする際には、上記とは逆の手順で操作を行う。即ち、図１（ｄ）の状態から柱体２０を一旦引き上げ（図１（ｃ））、該柱体２０を９０°回転させて受け板１４と隔壁２５が重ならない状態（図１（ｂ））とした後に、柱体２０を引き下げ、柱本体２１を格納体１０に完全に没入させる（図１（ａ））。
【００３３】
以上のように、柱体２０を昇降させる際には、これに伴って該柱体２０内に配置された光源３１も昇降される。但し、上述のように光源３１は柱体２０に対して相対回転できるため、図１（ｃ）のように柱体２０を回転させても光源３１に接続された給電ケーブル３２の自重や剛性により、光源３１の回転は抑制される。これにより、ケーブル３２の捻れを抑制し、ケーブル３２やコネクタ３６に不具合が生じるのを防ぐことができる。なお、光源３１は、格納式進入防止装置を使用状態とした場合にのみ点灯できるようにしてもよく、不使用状態においても点灯できるようにしてもよい。格納式進入防止装置の不使用状態において光源３１を点灯させる場合には、柱体２０上面の蓋板２７にも透光部を形成しておく。
【００３４】
以上、実施例を用いて本発明を実施するための形態について説明を行ったが、本発明は上記の実施例に限定されるものではなく、本発明の趣旨の範囲で適宜変更が許容されるものである。
【００３５】
例えば、上記実施例では、柱本体２１の外周及び格納体１０の内周の平面視形状（即ち柱体２０及び格納体１０の軸に直交する断面の形状）が正方形の場合を例に説明したが、円形や他の複数回回転対称図形であってもよい。
【００３６】
また、支柱１３の受け板１４と支持部２２の長孔２５ａの形状は、図１〜５に示した形状に限定されるものではなく、少なくとも一つの回転対称位置において、平面視で受け板１４と隔壁２５が重ならず（即ち、受け板１４が長孔２５ａを通過することができ）、他の回転対象位置の少なくとも一つでは、平面視で受け板１４と隔壁２５が重なる（即ち、受け板１４が長孔２５ａを通過できない）ように構成されていればよい。
【００３７】
また、柱体２０と格納体１０とを係合させる機構は、このような支柱と受け板を用いる構成に限らず、少なくとも一つの回転対象位置で柱体と格納体を係合させることができ、他の回転対象位置の少なくとも一つでは、該係合が解除されるようなものであればよい。従って、例えば、支柱１３を設けずに受け板を格納体１０の内面側に設け、少なくとも一つの回転対象位置において該受け板と係合する係合部を柱体２０の外面側に設けた構成としてもよい。
【００３８】
本発明に係る格納式照明装置は、マンション等の周囲で車輌の進入を防ぐための進入防止装置に限らず、屋外や屋内において周囲を照明するための照明装置として使用することもできる。また、本発明に係る格納式照明装置は、上記のように格納体を地中に埋設し、柱体を上方に引き出して使用する構成のほか、壁面や天井面に格納体を埋設し、柱体を下方や側方に引き出して使用できる構成としてもよい。なお、天井面から柱体を引き下げる構成とする場合は、格納体に柱体を没入させた状態で柱体の不所望の下降を防止することができるような下降防止手段を設けることが望ましい。また、例えば、コイルバネ等の弾性体によって柱体を格納体に向かって常時付勢した状態とし、使用時には該付勢力に抗して柱体を引き出し、柱体を回転させて格納体に係合させ、格納時には柱体を回転させて該係合を解除することにより、前記付勢力によって自動的に柱体が格納体に引き込まれる構成としてもよい。
【符号の説明】
【００３９】
１０…格納体
１３…支柱
１４…受け板
１４ａ…光源挿通孔
２０…柱体
２１…柱本体
２２…支持部
２５…隔壁
２５ａ…長孔
２７…蓋板
２８…透光部
３１…光源
３２…給電ケーブル
３３…支持リング
３４…光源支持板
３４ａ…開口部
３５…リング受け部
３７…ストッパ
【図１】
2012089458.tif 000003
【図２】
2012089458.tif 000004
【図３】
2012089458.tif 000005
【図４】
2012089458.tif 000006
【図５】
2012089458.tif 000007
【図６】
2012089458.tif 000008
【図７】
2012089458.tif 000009
【図８】
2012089458.tif 000010
【図９】
2012089458.tif 000011